(57)【要約】【課題】光源の温度上昇による寿命の低下を抑えるとともに、長時間の連続投写が可能なプロジェクタ装置およびその光源制御方法を提供する。【解決手段】第１光源１１および第２光源１２が点灯しているとき、各光源温度センサ１５，１６で検出される各光源１１，１２の温度が、予め定められる消灯基準温度を超えると、第１光源１１および第２光源１２のうち、一方の光源、たとえば温度が高い方の光源を消灯し、他方の光源の点灯状態を維持する。また第１光源１１および第２光源１２のいずれか一方の光源が点灯しているときには、点灯中の一方の光源の温度が消灯基準温度を超えると、他方の光源の点灯を開始する。そして、他方の光源の点灯が完了すると、一方の光源を消灯する。【選択図】図１
2012155181.tif 000002
【特許請求の範囲】
【請求項１】
光源、および前記光源の温度を検出する温度検出手段を各々が含む複数の光源ユニットと、
前記複数の光源ユニットを制御する制御手段とを備え、
前記制御手段は、前記複数の光源ユニットの光源が点灯しているとき、前記温度検出手段によって検出される点灯中の光源のうちのいずれかの光源の温度が、前記光源を消灯させるべき温度として予め定められる消灯基準温度を超えると判断すると、前記消灯基準温度を超える温度の光源のうちの少なくとも１つの光源を消灯し、前記点灯中の光源のうち、消灯された光源を除く残余の光源の点灯状態を維持するように、前記複数の光源ユニットを制御することを特徴とするプロジェクタ装置。
【請求項２】
前記制御手段は、前記消灯基準温度を超える温度の光源が複数存在する場合、前記点灯中の光源のうちで最も温度が高い光源を消灯するように、前記複数の光源ユニットを制御することを特徴とする請求項１に記載のプロジェクタ装置。
【請求項３】
各光源ユニットは、前記光源を冷却する冷却手段をさらに含み、
前記制御手段は、前記少なくとも１つの光源を消灯するととともに、消灯された光源を前記冷却手段によって冷却するように前記複数の光源ユニットを制御し、前記少なくとも１つの光源が消灯された時点から、前記光源を冷却する時間として予め定められる要冷却時間が経過したと判断すると、消灯した光源を再度点灯するように、前記複数の光源ユニットを制御することを特徴とする請求項１または２に記載のプロジェクタ装置。
【請求項４】
光源、および前記光源の温度を検出する温度検出手段を各々が含む複数の光源ユニットと、
前記複数の光源ユニットを制御する制御手段とを備え、
前記制御手段は、前記複数の光源ユニットの光源のうち、１つの光源が点灯し、前記１つの光源を除く残余の光源が消灯しているとき、前記温度検出手段によって検出される点灯中の前記１つの光源の温度が、前記光源を消灯させるべき温度として予め定められる消灯基準温度を超えると判断すると、消灯中の前記残余の光源のうちのもう１つの光源の点灯を開始するように前記複数の光源ユニットを制御し、前記もう１つの光源の点灯が完了したと判断すると、前記１つの光源を消灯するように前記複数の光源ユニットを制御することを特徴とするプロジェクタ装置。
【請求項５】
前記制御手段は、前記もう１つの光源として、消灯中の前記残余の光源のうち、温度が前記消灯基準温度以下である光源の点灯を開始するように、前記複数の光源ユニットを制御することを特徴とする請求項４に記載のプロジェクタ装置。
【請求項６】
各光源ユニットは、前記光源を冷却する冷却手段をさらに含み、
前記制御手段は、前記１つの光源を消灯するとともに、消灯された光源を前記冷却手段によって冷却するように前記光源ユニットを制御することを特徴とする請求項４または５に記載のプロジェクタ装置。
【請求項７】
各光源の温度が前記消灯基準温度を超えることを示す点灯状態で動作可能なインジケータをさらに備え、
前記制御手段は、前記光源の温度が前記消灯基準温度を超えると判断すると、その光源に対応するインジケータを、前記点灯状態で動作するように制御することを特徴とする請求項１〜６のいずれか１つに記載のプロジェクタ装置。
【請求項８】
光源、および前記光源の温度を検出する温度検出手段を各々が含む複数の光源ユニットを備えるプロジェクタ装置の光源制御方法であって、
前記複数の光源ユニットの光源が点灯しているとき、前記温度検出手段によって検出される点灯中の光源のうちのいずれかの光源の温度が、前記光源を消灯させるべき温度として予め定められる消灯基準温度を超えると、前記消灯基準温度を超える温度の光源のうちの少なくとも１つの光源を消灯し、前記点灯中の光源のうち、消灯された光源を除く残余の光源の点灯状態を維持するように、前記複数の光源ユニットを制御することを特徴とするプロジェクタ装置の光源制御方法。
【請求項９】
前記消灯基準温度を超える温度の光源が複数存在する場合、前記点灯中の光源のうちで最も温度が高い光源を消灯するように、前記複数の光源ユニットを制御することを特徴とする請求項８に記載のプロジェクタ装置の光源制御方法。
【請求項１０】
各光源ユニットは、前記光源を冷却する冷却手段をさらに含み、
前記少なくとも１つの光源を消灯するととともに、消灯された光源を前記冷却手段によって冷却するように前記複数の光源ユニットを制御し、前記少なくとも１つの光源が消灯された時点から、前記光源を冷却する時間として予め定められる要冷却時間が経過すると、消灯した光源を再度点灯するように前記複数の光源ユニットを制御することを特徴とする請求項８または９に記載のプロジェクタ装置の光源制御方法。
【請求項１１】
光源、および前記光源の温度を検出する温度検出手段を各々が含む複数の光源ユニットを備えるプロジェクタ装置の光源制御方法であって、
前記複数の光源ユニットの光源のうち、１つの光源が点灯し、前記１つの光源を除く残余の光源が消灯しているとき、前記温度検出手段によって検出される点灯中の前記１つの光源の温度が、前記光源を消灯させるべき温度として予め定められる消灯基準温度を超えると、消灯中の前記残余の光源のうちのもう１つの光源の点灯を開始するように前記複数の光源ユニットを制御し、前記もう１つの光源の点灯が完了すると、前記１つの光源を消灯するように前記複数の光源ユニットを制御することを特徴とするプロジェクタ装置の光源制御方法。
【請求項１２】
前記もう１つの光源として、消灯中の前記残余の光源のうち、温度が前記消灯基準温度以下である光源の点灯を開始するように、前記複数の光源ユニットを制御することを特徴とする請求項１１に記載のプロジェクタ装置の光源制御方法。
【請求項１３】
各光源ユニットは、前記光源を冷却する冷却手段をさらに含み、
前記１つの光源を消灯するとともに、消灯された前記光源を前記冷却手段によって冷却するように前記光源ユニットを制御することを特徴とする請求項１１または１２に記載のプロジェクタ装置の光源制御方法。
【発明の詳細な説明】
【技術分野】
【０００１】
本発明は、プロジェクタ装置およびその光源制御方法に関する。
【背景技術】
【０００２】
プロジェクタ装置は、映像をスクリーンに投写して表示する映像表示装置である。プロジェクタ装置は、光源および投写レンズなどの光学部品、マイクロコンピュータ、電源、入出力回路および信号処理回路などの電気回路、ならびにファンなどの機械部品を含んで構成される。
【０００３】
プロジェクタ装置において、投写映像の輝度は、主に光源の輝度によって決定される。高輝度の映像を得るために、２つ以上の光源を備えたプロジェクタ装置が開発され（たとえば、特許文献１参照）、実用化されている。
【０００４】
プロジェクタ装置において、連続して投写可能な時間（以下「連続投写時間」という場合がある）は、光源の寿命に影響される。たとえば特許文献１に開示される投射型表示装置では、点灯させる光源を一定時間毎に切換えることによって、長時間にわたって連続して映像を投写することを可能としている。
【０００５】
プロジェクタ装置の光源としては、メタルハライドランプ、高圧水銀ランプなどがある。高圧水銀ランプは、輝度が高く、かつ寿命が長いという利点を有することから、多くのプロジェクタ装置で用いられている。
【０００６】
プロジェクタ装置で用いられる光源、たとえば高圧水銀ランプは、点灯中のランプの温度が高すぎると、ランプが劣化してランプ寿命が短くなり、場合によっては破裂するおそれがある。また、ランプの温度が低すぎても、投写光の特性が悪化するなどの問題がある。そこで、冷却ファンでランプを冷却することによって、ランプの温度が一定となるように構成されている。
【先行技術文献】
【特許文献】
【０００７】
【特許文献１】特開平８−３６１８０号公報
【発明の概要】
【発明が解決しようとする課題】
【０００８】
前述のように、プロジェクタ装置で用いられる光源は、高温で点灯させると劣化して光源の寿命が短くなり、場合によっては破裂するおそれがある。
【０００９】
通常の使用環境では、長時間にわたって光源を点灯させても、プロジェクタ装置の内部の温度は、ある水準で安定するので、光源の温度も異常に高温になることはない。しかし、排気口が塞がれたり、何らかの理由で吸気温度が高くなったりすると、プロジェクタ装置の内部の温度が、通常の環境において使用する場合の温度よりも上昇して、光源の温度も光源の寿命に悪影響を与える温度にまで上昇することがある。
【００１０】
したがって、プロジェクタ装置では、光源の劣化および破裂などの不具合を防ぐために、光源の温度が一定温度以上に上昇した段階で、光源を消灯して映像の投写を終了し、光源の冷却を行うように構成される。
【００１１】
複数の光源を備える多灯式プロジェクタ装置においては、１つの光源に、破裂するなどの不具合が生じても、他の光源がバックアップとして機能し、映像の投写を継続することができる。しかし、従来の多灯式プロジェクタ装置は、光源の温度が異常に高温になったときには、全ての光源を消灯して映像の投写を終了するように構成されるので、複数の光源を備える多灯式の特性を十分に活用できていないという問題がある。
【００１２】
本発明の目的は、光源の温度上昇による寿命の低下を抑えるとともに、長時間の連続投写が可能なプロジェクタ装置およびその光源制御方法を提供することである。
【課題を解決するための手段】
【００１３】
本発明のプロジェクタ装置は、光源、および前記光源の温度を検出する温度検出手段を各々が含む複数の光源ユニットと、前記複数の光源ユニットを制御する制御手段とを備え、前記制御手段は、前記複数の光源ユニットの光源が点灯しているとき、前記温度検出手段によって検出される点灯中の光源のうちのいずれかの光源の温度が、前記光源を消灯させるべき温度として予め定められる消灯基準温度を超えると判断すると、前記消灯基準温度を超える温度の光源のうちの少なくとも１つの光源を消灯し、前記点灯中の光源のうち、消灯された光源を除く残余の光源の点灯状態を維持するように、前記複数の光源ユニットを制御することを特徴とする。
【００１４】
また本発明のプロジェクタ装置は、光源、および前記光源の温度を検出する温度検出手段を各々が含む複数の光源ユニットと、前記複数の光源ユニットを制御する制御手段とを備え、前記制御手段は、前記複数の光源ユニットの光源のうち、１つの光源が点灯し、前記１つの光源を除く残余の光源が消灯しているとき、前記温度検出手段によって検出される点灯中の前記１つの光源の温度が、前記光源を消灯させるべき温度として予め定められる消灯基準温度を超えると判断すると、消灯中の前記残余の光源のうちのもう１つの光源の点灯を開始するように前記複数の光源ユニットを制御し、前記もう１つの光源の点灯が完了したと判断すると、前記１つの光源を消灯するように前記複数の光源ユニットを制御することを特徴とする。
【００１５】
本発明のプロジェクタ装置の光源制御方法は、光源、および前記光源の温度を検出する温度検出手段を各々が含む複数の光源ユニットを備えるプロジェクタ装置の光源制御方法であって、前記複数の光源ユニットの光源が点灯しているとき、前記温度検出手段によって検出される点灯中の光源のうちのいずれかの光源の温度が、前記光源を消灯させるべき温度として予め定められる消灯基準温度を超えると、前記消灯基準温度を超える温度の光源のうちの少なくとも１つの光源を消灯し、前記点灯中の光源のうち、消灯された光源を除く残余の光源の点灯状態を維持するように、前記複数の光源ユニットを制御することを特徴とする。
【００１６】
また本発明のプロジェクタ装置の光源制御方法は、光源、および前記光源の温度を検出する温度検出手段を各々が含む複数の光源ユニットを備えるプロジェクタ装置の光源制御方法であって、前記複数の光源ユニットの光源のうち、１つの光源が点灯し、前記１つの光源を除く残余の光源が消灯しているとき、前記温度検出手段によって検出される点灯中の前記１つの光源の温度が、前記光源を消灯させるべき温度として予め定められる消灯基準温度を超えると、消灯中の前記残余の光源のうちのもう１つの光源の点灯を開始するように前記複数の光源ユニットを制御し、前記もう１つの光源の点灯が完了すると、前記１つの光源を消灯するように前記複数の光源ユニットを制御することを特徴とする。
【発明の効果】
【００１７】
本発明のプロジェクタ装置によれば、複数の光源ユニットの光源が点灯しているときに、点灯中の光源のうちのいずれかの光源の温度が消灯基準温度を超えると、消灯基準温度を超える温度の光源のうちの少なくとも１つの光源が消灯され、点灯中の光源のうち、消灯された光源を除く残余の光源の点灯状態は維持される。これによって、点灯中の光源のうちのいずれかの光源の温度が消灯基準温度を超える温度になった場合でも、光源からの光の投写を継続することができる。また消灯基準温度を超える温度の光源を消灯することによって、光源が異常に過熱されることを防ぐことができるので、光源の温度上昇による劣化を防ぎ、寿命の低下を抑えることができる。したがって、光源の温度上昇による寿命の低下を抑えるとともに、長時間の連続投写が可能なプロジェクタ装置を実現することができる。
【００１８】
また本発明のプロジェクタ装置によれば、複数の光源ユニットの光源のうち、１つの光源が点灯し、点灯された光源を除く残余の光源が消灯しているときに、点灯中の１つの光源の温度が消灯基準温度を超えると、消灯中の残余の光源のうちのもう１つの光源の点灯が開始される。もう１つの光源の点灯が完了すると、先に点灯していた１つの光源が消灯される。これによって、点灯中の１つの光源の温度が消灯基準温度を超える温度になった場合でも、もう１つの光源から、光の投写を継続することができる。また消灯基準温度を超える温度の光源を消灯することによって、光源が異常に過熱されることを防ぐことができるので、光源の温度上昇による劣化を防ぎ、寿命の低下を抑えることができる。したがって、光源の温度上昇による寿命の低下を抑えるとともに、長時間の連続投写が可能なプロジェクタ装置を実現することができる。
【００１９】
本発明のプロジェクタ装置の光源制御方法によれば、複数の光源ユニットの光源が点灯しているときに、点灯中の光源のうちのいずれかの光源の温度が消灯基準温度を超えると、消灯基準温度を超える温度の光源のうちの少なくとも１つの光源が消灯され、点灯中の光源のうち、消灯された光源を除く残余の光源の点灯状態は維持される。これによって、点灯中の光源のうちのいずれかの光源の温度が消灯基準温度を超える温度になった場合でも、光源からの光の投写を継続することができる。また消灯基準温度を超える温度の光源を消灯することによって、光源が異常に過熱されることを防ぐことができるので、光源の温度上昇による劣化を防ぎ、寿命の低下を抑えることができる。したがって、光源の温度上昇による寿命の低下を抑えるとともに、長時間の連続投写を実現することができる。
【００２０】
また本発明のプロジェクタ装置の光源制御方法によれば、複数の光源ユニットの光源のうち、１つの光源が点灯し、点灯された光源を除く残余の光源が消灯しているときに、点灯中の１つの光源の温度が消灯基準温度を超えると、消灯中の残余の光源のうちのもう１つの光源の点灯が開始される。もう１つの光源の点灯が完了すると、先に点灯していた１つの光源が消灯される。これによって、点灯中の光源の温度が消灯基準温度を超える温度になった場合でも、光源からの光の投写を継続することができる。また消灯基準温度を超える温度の光源を消灯することによって、光源が異常に過熱されることを防ぐことができるので、光源の温度上昇による劣化を防ぎ、寿命の低下を抑えることができる。したがって、光源の温度上昇による寿命の低下を抑えるとともに、長時間の連続投写を実現することができる。
【図面の簡単な説明】
【００２１】
【図１】本発明の第１の実施の形態であるプロジェクタ装置１の構成を示す図である。
【図２】本発明の第１の実施の形態における光源制御処理に関するマイコン１９の処理手順を示すフローチャートである。
【図３】本発明の第２の実施の形態における光源制御処理に関するマイコン１９の処理手順を示すフローチャートである。
【発明を実施するための形態】
【００２２】
＜第１の実施の形態＞
図１は、本発明の第１の実施の形態であるプロジェクタ装置１の構成を示す図である。プロジェクタ装置１は、第１光源１１、第２光源１２、第１光源電源１３、第２光源電源１４、第１光源温度センサ１５、第２光源温度センサ１６、第１冷却ファン１７、第２冷却ファン１８、マイクロコンピュータ（以下「マイコン」という）１９、および光合成光学系２０を備えて構成される。
【００２３】
プロジェクタ装置１は、複数の光源を備える多灯式プロジェクタ装置である。本実施の形態では、プロジェクタ装置１は、第１光源１１および第２光源１２の２つの光源を備える２灯式プロジェクタ装置である。
【００２４】
第１光源１１および第２光源１２は、光合成光学系２０を挟んで互いに対向する位置に設けられる。各光源１１，１２は、発光管およびリフレクタを備える。第１光源１１および第２光源１２は、リフレクタの反射面が互いに対向するように配置される。各光源１１，１２は、光軸を中心軸とする光束を射出する。
【００２５】
発光管は、発光部と、一対の封止部とを備える。発光部は、球状に形成される。発光部の内部には、一対の電極が配置され、水銀が封入される放電空間が形成される。一対の封止部は、発光部を挟んで互いに離間する方向に延在する。各封止部の内部には、発光部の内部の各電極に接続される電極引出線が設けられる。本実施の形態では、発光管は、高圧水銀ランプである。
【００２６】
リフレクタは、発光管から射出された放射光束を反射して所定の位置に収束させる光学素子である。リフレクタは、発光管の一方の封止部に挿通され、固着される。本実施の形態では、リフレクタは、回転楕円面を有する楕円面リフレクタである。
【００２７】
第１光源電源１３は、マイコン１９からの指示に基づいて、第１光源１１に電力を供給する。第２光源電源１４は、マイコン１９からの指示に基づいて、第２光源１２に電力を供給する。各光源１１，１２は、対応する光源電源１３，１４から電力を供給されると点灯し、電力の供給が停止されると消灯する。
【００２８】
第１光源温度センサ１５は、第１光源１１の温度を検出する。第１光源温度センサ１５は、検出した第１光源１１の温度をマイコン１９に与える。第２光源温度センサ１６は、第２光源１２の温度を検出する。第２光源温度センサ１６は、検出した第２光源１２の温度をマイコン１９に与える。第１光源温度センサ１５および第２光源温度センサ１６は、温度検出手段に相当する。
【００２９】
第１冷却ファン１７は、マイコン１９からの指示に基づいて、第１光源１１を冷却する。第２冷却ファン１８は、マイコン１９からの指示に基づいて、第２光源１２を冷却する。第１冷却ファン１７および第２冷却ファン１８は、冷却手段に相当する。
【００３０】
第１光源１１、第１光源電源１３、第１光源温度センサ１５および第１冷却ファン１７を含んで、第１光源ユニットが構成される。第２光源１２、第２光源電源１４、第２光源温度センサ１６および第２冷却ファン１８を含んで、第２光源ユニットが構成される。
【００３１】
これらの光源ユニットを備えて、プロジェクタ装置１が構成される。すなわち、プロジェクタ装置１は、複数の光源ユニット、具体的には第１光源ユニットおよび第２光源ユニットの２つの光源ユニットを備える。複数の光源ユニットの各々が、光源、光源電源、温度検出手段である光源温度センサ、および冷却手段である冷却ファンを含む。マイコン１９は、複数の光源ユニット、具体的には第１光源ユニットおよび第２光源ユニットを制御する。マイコン１９は、制御手段に相当する。
【００３２】
本実施の形態では、マイコン１９は、各光源温度センサ１５，１６から与えられる各光源１１，１２の温度に基づいて、各光源電源１３，１４の各光源１１，１２への電力の供給動作および供給停止動作を切換える制御を行うことによって、各光源１１，１２の点灯動作および消灯動作を切換える制御を行う。
【００３３】
具体的に述べると、マイコン１９は、各光源温度センサ１５，１６から与えられる各光源１１，１２の温度に基づいて、各光源電源１３，１４に、電力供給信号または電力供給停止信号を与える。
【００３４】
電力供給信号は、各光源１１，１２への電力の供給動作を行わせる指示、すなわち各光源１１，１２に電力を供給させる指示を表す。各光源電源１３，１４に電力供給信号を与えることによって、各光源電源１３，１４から対応する光源１１，１２に電力が供給され、各光源１１，１２が点灯する。
【００３５】
電力供給停止信号は、各光源１１，１２への電力の供給停止動作を行わせる指示、すなわち各光源１１，１２への電力供給を停止させる指示を表す。各光源電源１３，１４に電力供給停止信号を与えることによって、各光源電源１３，１４から対応する光源１１，１２への電力の供給が停止され、各光源１１，１２が消灯する。
【００３６】
またマイコン１９は、各光源温度センサ１５，１６から与えられる各光源１１，１２の温度に基づいて、各冷却ファン１７，１８の駆動動作および駆動停止動作を切換える制御を行う。具体的に述べると、マイコン１９は、各光源温度センサ１５，１６から与えられる各光源１１，１２の温度に基づいて、各冷却ファン１７，１８に、駆動信号または駆動停止信号を与える。
【００３７】
駆動信号は、駆動動作を行わせる指示、すなわち各冷却ファン１７，１８を駆動させる指示を表す。各冷却ファン１７，１８に駆動信号を与えることによって、各冷却ファン１７，１８が駆動される。駆動停止信号は、駆動停止動作を行わせる指示、すなわち各冷却ファン１７，１８の駆動を停止させる指示を表す。各冷却ファン１７，１８に駆動停止信号を与えることによって、各冷却ファン１７，１８の駆動が停止される。
【００３８】
光合成光学系２０は、本実施の形態では、２つの反射面を有する三角柱形状のプリズムである。光合成光学系２０は、第１および第２光源１１，１２から射出された光を合成して、不図示の表示パネル、たとえば液晶パネルに向けて射出する。図示は省略するが、光合成光学系２０から射出された光は、表示パネルを介して投写光学系に与えられ、スクリーンに照射される。これによってスクリーンに映像が表示される。
【００３９】
図２は、本発明の第１の実施の形態における光源制御処理に関するマイコン１９の処理手順を示すフローチャートである。図２に示すフローチャートの各処理は、前述の図１に示すプロジェクタ装置１のマイコン１９によって実行される。本発明の実施の一形態であるプロジェクタ装置の光源制御方法は、プロジェクタ装置１によって実行される。図２を参照して、プロジェクタ装置の光源制御方法についても説明する。
【００４０】
使用者によってプロジェクタ装置１の電源がオン（ＯＮ）される、すなわち電源が投入されると、マイコン１９は、図２に示すフローチャートの処理を開始し、ステップＳ１に移行する。
【００４１】
図２に示す処理手順は、光源制御処理が開始される時点で、２つの光源がともに点灯している場合の光源制御処理に関するマイコン１９の処理手順である。本実施の形態では、光源制御処理が開始される時点では、２つの光源、すなわち第１光源１１および第２光源１２は、ともに点灯している。
【００４２】
ステップＳ１において、マイコン１９は、第１光源温度センサ１５から与えられる第１光源１１の温度Ｔ１が、消灯基準温度Ｔａよりも高いか否かを判断する。消灯基準温度Ｔａは、各光源１１，１２を消灯させるべき温度として予め定められる温度である。消灯基準温度Ｔａは、本実施の形態では第１光源１１および第２光源１２に対して、同一の温度が設定されるが、第１光源１１および第２光源１２に対して、異なる温度が設定されてもよい。ステップＳ１において、マイコン１９は、第１光源１１の温度Ｔ１が消灯基準温度Ｔａよりも高い（Ｔ１＞Ｔａ）と判断した場合は、ステップＳ２に移行し、第１光源１１の温度Ｔ１が消灯基準温度Ｔａよりも高くない、すなわち消灯基準温度Ｔａ以下（Ｔ１≦Ｔａ）であると判断した場合は、ステップＳ３に移行する。
【００４３】
ステップＳ２において、マイコン１９は、第１光源１１の温度Ｔ１が、第２光源温度センサ１６から与えられる第２光源１２の温度Ｔ２よりも高いか否かを判断する。ステップＳ２において、マイコン１９は、第１光源１１の温度Ｔ１が第２光源１２の温度Ｔ２よりも高い（Ｔ１＞Ｔ２）と判断した場合は、ステップＳ４に移行し、第１光源１１の温度Ｔ１が第２光源１２の温度Ｔ２よりも高くない、すなわち第２光源１２の温度Ｔ２以下（Ｔ１≦Ｔ２）であると判断した場合は、ステップＳ１０に移行する。
【００４４】
ステップＳ２の段階では、第１光源１１の温度Ｔ１は、ステップＳ１において、消灯基準温度Ｔａよりも大きいと判断されている。したがって、ステップＳ２において、第１光源１１の温度Ｔ１が第２光源１２の温度Ｔ２以下であると判断されることは、第２光源１２の温度Ｔ２が消灯基準温度Ｔａよりも大きいことを意味する。
【００４５】
ステップＳ３において、マイコン１９は、第２光源１２の温度Ｔ２が消灯基準温度Ｔａよりも高いか否かを判断する。ステップＳ３において、マイコン１９は、第２光源１２の温度Ｔ２が消灯基準温度Ｔａよりも高い（Ｔ２＞Ｔａ）と判断した場合は、ステップＳ１０に移行し、第２光源１２の温度Ｔ２が消灯基準温度Ｔａよりも高くない、すなわち消灯基準温度Ｔａ以下（Ｔ２≦Ｔａ）であると判断した場合は、全ての処理手順を終了する。
【００４６】
ステップＳ４において、マイコン１９は、第１光源１１を消灯させる。具体的には、マイコン１９は、第１光源電源１３に電力供給停止信号を与えることによって、第１光源電源１３から第１光源１１への電力の供給を停止させ、第１光源１１を消灯させる。
【００４７】
前述の図１では図示を省略しているが、プロジェクタ装置１には、各光源１１，１２の温度Ｔ１，Ｔ２と消灯基準温度Ｔａとの関係を示すインジケータが設けられる。第１光源１１に対応するインジケータと、第２光源１２に対応するインジケータとが、それぞれ設けられる。インジケータは、各光源１１，１２の温度Ｔ１，Ｔ２が消灯基準温度Ｔａよりも高い温度に上昇したことを示す点灯状態と、各光源１１，１２が点灯していることを示す点灯状態とを切換可能に構成される。マイコン１９は、各光源１１，１２の状態に基づいて、インジケータの点灯状態を切換える制御を行う。
【００４８】
インジケータは、たとえば、異なる色に発光する２つの発光ダイオード（Light Emitting Diode；略称：ＬＥＤ）を含む２色ＬＥＤを備える。２色ＬＥＤは、たとえば、緑色に発光する緑色ＬＥＤと、橙色に発光する橙色ＬＥＤとを含む。各光源１１，１２が点灯していることを示す場合には、２色ＬＥＤの緑色ＬＥＤが点灯される。各光源１１，１２の温度Ｔ１，Ｔ２が消灯基準温度Ｔａよりも高い温度に上昇したことを示す場合には、２色ＬＥＤの橙色ＬＥＤが点灯または点滅される。
【００４９】
マイコン１９は、ステップＳ４において第１光源１１を消灯させたとき、消灯した第１光源１１に対応するインジケータを、第１光源１１の温度Ｔ１が消灯基準温度Ｔａよりも高い温度に上昇したこと（Ｔ１＞Ｔａ）を示すように点灯または点滅させる。マイコン１９は、たとえば、インジケータに備えられる２色ＬＥＤの橙色ＬＥＤを点灯させる。マイコン１９は、ステップＳ４において第１光源１１を消灯させると、ステップＳ５に移行する。
【００５０】
ステップＳ５において、マイコン１９は、点灯中の第２光源１２の温度Ｔ２を再度検出する。マイコン１９は、第２光源１２の温度Ｔ２を検出すると、ステップＳ６に移行する。
【００５１】
ステップＳ６において、マイコン１９は、ステップＳ５で検出した第２光源１２の温度Ｔ２が劣化基準温度Ｔｂよりも高いか否かを判断する。劣化基準温度Ｔｂは、各光源１１，１２の劣化につながる温度として予め定められる温度である。劣化基準温度Ｔｂは、たとえば消灯基準温度Ｔａ以上（Ｔｂ≧Ｔａ）に設定される。ステップＳ６において、マイコン１９は、第２光源１２の温度Ｔ２が劣化基準温度Ｔｂよりも高い（Ｔ２＞Ｔｂ）と判断した場合は、ステップＳ７に移行し、第２光源１２の温度Ｔ２が劣化基準温度Ｔｂよりも高くない、すなわち劣化基準温度Ｔｂ以下（Ｔ２≦Ｔｂ）であると判断した場合は、ステップＳ８に移行する。
【００５２】
ステップＳ７において、マイコン１９は、プロジェクタ装置１の電源をオフ（ＯＦＦ）にする、すなわち電源を切る。マイコン１９は、ステップＳ７の処理を終了した後は、全ての処理手順を終了する。
【００５３】
ステップＳ８において、マイコン１９は、第１光源１１が消灯された時点からの経過時間（以下「第１光源冷却時間」という場合がある）ｔ１が、要冷却時間Ｔｃｏｏｌを経過したか否かを判断する。第１光源１１が消灯された時点は、第１光源１１が冷却され始めた時点に相当するので、第１光源冷却時間ｔ１は、第１光源１１が冷却された時間に相当する。要冷却時間Ｔｃｏｏｌは、各光源１１，１２を冷却する時間として予め定められる時間である。要冷却時間Ｔｃｏｏｌは、たとえば５分に設定される。
【００５４】
ステップＳ８において、マイコン１９は、第１光源冷却時間ｔ１が要冷却時間Ｔｃｏｏｌを経過した（ｔ１＞Ｔｃｏｏｌ）と判断した場合は、ステップＳ９に移行し、第１光源冷却時間ｔ１が要冷却時間Ｔｃｏｏｌを経過していない（ｔ１≦Ｔｃｏｏｌ）と判断した場合は、ステップＳ５に戻り、第１光源冷却時間ｔ１が要冷却時間Ｔｃｏｏｌを経過するまで、ステップＳ５およびステップＳ６の処理を繰り返す。
【００５５】
ステップＳ９において、マイコン１９は、ステップＳ４で消灯した第１光源１１を再度点灯させる。具体的には、マイコン１９は、第１光源電源１３に電力供給信号を与えることによって、第１光源電源１３から第１光源１１への電力の供給を再開させ、第１光源１１を点灯させる。マイコン１９は、ステップＳ４でインジケータを点灯または点滅させていた場合、ステップＳ９において第１光源１１を再度点灯させたときに、再度点灯した第１光源１１に対応するインジケータを、第１光源１１が点灯していることを示すように点灯させる。たとえば、前述の２色ＬＥＤの緑色ＬＥＤを点灯させる。マイコン１９は、ステップＳ９の処理を終了した後は、全ての処理手順を終了する。
【００５６】
前述のステップＳ２またはステップＳ３からステップＳ１０に移行した場合、ステップＳ１０において、マイコン１９は、第２光源１２を消灯させる。マイコン１９は、ステップＳ１０において第２光源１２を消灯させたとき、消灯した第２光源１２に対応するインジケータを、第２光源１２の温度Ｔ２が消灯基準温度Ｔａよりも高い温度に上昇したこと（Ｔ２＞Ｔａ）を示すように点灯または点滅させる。たとえば、前述の２色ＬＥＤの橙色ＬＥＤを点灯させる。マイコン１９は、ステップＳ１０において第２光源１２を消灯させると、ステップＳ１１に移行する。
【００５７】
ステップＳ１１において、マイコン１９は、点灯中の第１光源１１の温度Ｔ１を再度検出する。マイコン１９は、第１光源１１の温度Ｔ１を検出すると、ステップＳ１２に移行する。
【００５８】
ステップＳ１２において、マイコン１９は、ステップＳ１１で検出した第１光源１１の温度Ｔ１が劣化基準温度Ｔｂよりも高いか否かを判断する。ステップＳ１２において、マイコン１９は、第１光源１１の温度Ｔ１が劣化基準温度Ｔｂよりも高い（Ｔ１＞Ｔｂ）と判断した場合は、前述のステップＳ７に移行し、第１光源１１の温度Ｔ１が劣化基準温度Ｔｂよりも高くない、すなわち劣化基準温度Ｔｂ以下（Ｔ１≦Ｔｂ）であると判断した場合は、ステップＳ１３に移行する。
【００５９】
ステップＳ１３において、マイコン１９は、第２光源１２が消灯された時点からの経過時間（以下「第２光源冷却時間」という場合がある）ｔ２が、要冷却時間Ｔｃｏｏｌ、たとえば５分を経過したか否かを判断する。第２光源１２が消灯された時点は、第２光源１２が冷却され始めた時点に相当するので、第２光源冷却時間ｔ２は、第２光源１２が冷却された時間に相当する。
【００６０】
ステップＳ１３において、マイコン１９は、第２光源冷却時間ｔ２が要冷却時間Ｔｃｏｏｌを経過した（ｔ２＞Ｔｃｏｏｌ）と判断した場合は、ステップＳ１４に移行し、第２光源冷却時間ｔ２が要冷却時間Ｔｃｏｏｌを経過していない（ｔ２≦Ｔｃｏｏｌ）と判断した場合は、ステップＳ１１に戻り、第２光源冷却時間ｔ２が要冷却時間Ｔｃｏｏｌを経過するまで、ステップＳ１１およびステップＳ１２の処理を繰り返す。
【００６１】
ステップＳ１４において、マイコン１９は、ステップＳ１０で消灯した第２光源１２を再度点灯させる。具体的には、マイコン１９は、第２光源電源１４に電力供給信号を与えることによって、第２光源電源１４から第２光源１２への電力の供給を再開させ、第２光源１２を点灯させる。マイコン１９は、ステップＳ１０でインジケータを点灯または点滅させていた場合、ステップＳ１４において第２光源１２を再度点灯させたときに、再度点灯した第２光源１２に対応するインジケータを、第２光源１２が点灯していることを示すように点灯させる。たとえば、前述の２色ＬＥＤの緑色ＬＥＤを点灯させる。マイコン１９は、ステップＳ１４の処理を終了した後は、全ての処理手順を終了する。
【００６２】
以上のように本実施の形態では、点灯中の第１光源１１および第２光源１２のうちのいずれかの光源の温度Ｔ１，Ｔ２が消灯基準温度Ｔａを超えると、消灯基準温度Ｔａを超える温度の光源のうちの少なくとも１つの光源が消灯される。点灯中の第１光源１１および第２光源１２のうち、消灯された光源を除く残余の光源の点灯状態は維持される。
【００６３】
たとえば、マイコン１９は、第１光源１１および第２光源１２のいずれか一方の温度Ｔ１，Ｔ２が消灯基準温度Ｔａよりも高い温度になった場合には、その消灯基準温度Ｔａよりも高い温度になった光源を消灯する。またマイコン１９は、第１光源１１および第２光源１２の両方の温度Ｔ１，Ｔ２が消灯基準温度Ｔａよりも高い温度になった場合には、いずれか一方、具体的には、より温度の高い光源を消灯する。
【００６４】
このようにすることによって、点灯中の第１光源１１および第２光源１２のうちのいずれかの光源の温度Ｔ１，Ｔ２が消灯基準温度Ｔａよりも高くなった場合でも、第１光源１１または第２光源１２からの光の投写を継続することができ、ひいては映像の投写を継続することができる。
【００６５】
また消灯基準温度Ｔａを超える温度の光源を消灯することによって、光源が異常に過熱されることを防ぐことができるので、光源の温度上昇による劣化を防ぎ、寿命の低下を抑えることができる。したがって、第１光源１１および第２光源１２の温度上昇による寿命の低下を抑えるとともに、長時間の連続投写が可能な多灯式プロジェクタ装置１を実現することができる。
【００６６】
また本実施の形態では、マイコン１９は、消灯しなかった光源が劣化基準温度Ｔｂよりも高い温度になった場合には、その光源を消灯する。これによって、光源が異常に過熱されることをより確実に防ぐことができるので、光源の温度上昇による劣化をより確実に防ぐことができる。したがって、光源の寿命の低下をより確実に抑えることができる。
【００６７】
また本実施の形態では、第１光源１１および第２光源１２の両方の温度Ｔ１，Ｔ２が消灯基準温度Ｔａよりも高い温度になった場合には、温度が高い方の光源が消灯される。すなわち、消灯基準温度Ｔａを超える温度の光源が複数存在する場合には、最も温度が高い光源が消灯される。これによって、異常に過熱される可能性が最も高い光源から消灯することができるので、光源の温度上昇による劣化をより確実に防ぐことができる。したがって、光源の寿命の低下をより確実に抑えることができる。
【００６８】
また本実施の形態では、消灯基準温度Ｔａを超える温度の光源は、消灯されるとともに、対応する冷却ファン１７，１８で冷却される。これによって、光源が異常に過熱されることをより確実に防ぐことができるので、光源の温度上昇による劣化をより確実に防ぐことができる。したがって、光源の寿命の低下をより確実に抑えることができる。
【００６９】
また消灯された光源は、消灯された時点から要冷却時間Ｔｃｏｏｌが経過すると、再度点灯される。これによって、光源の寿命の低下を抑えるとともに、投写される光の量の低下を抑えることができる。したがって、スクリーンに明瞭な映像を表示することができる。
【００７０】
また本実施の形態では、光源の温度が消灯基準温度Ｔａを超えると判断されると、その光源に対応するインジケータが、その光源が消灯基準温度Ｔａを超えることを示す点灯状態で動作される。具体的には、その光源に対応するインジケータの２色ＬＥＤの橙色ＬＥＤが点灯または点滅される。これによって、光源の温度が消灯基準温度Ｔａを超えることを使用者に報知することができる。したがって、たとえば使用者に対して、プロジェクタ装置１の電源をオフにするように促すことができる。
【００７１】
以上に述べた本実施の形態では、プロジェクタ装置は、２つの光源ユニットを備えるが、これに限定されず、３つ以上の光源ユニットを備えてもよい。この場合、たとえば３つ以上の光源ユニットの光源が点灯している状態で、前述の図２に示す光源制御処理が開始される。
【００７２】
このとき、マイコン１９は、各光源ユニットの光源温度センサによって検出される各光源の温度に基づいて、点灯中の光源のうちのいずれかの光源の温度が消灯基準温度Ｔａを超えるか否かを判断する。換言すれば、マイコン１９は、点灯中の光源の中に、消灯基準温度Ｔａを超える温度の光源があるか否かを判断する。
【００７３】
マイコン１９は、点灯中の光源のうちのいずれかの光源の温度が消灯基準温度Ｔａを超えると判断すると、消灯基準温度Ｔａを超える温度の光源のうちの少なくとも１つの光源を消灯し、点灯中の光源のうち、消灯された光源を除く残余の光源の点灯状態を維持するように、３つ以上の光源ユニットを制御する。
【００７４】
このようにすることによって、３つ以上の光源ユニットを備える場合でも、２つの光源ユニットを備える本実施の形態と同様の効果を得ることができる。
【００７５】
また、このように３つ以上の光源ユニットを備える場合、マイコン１９は、消灯基準温度Ｔａを超える温度の光源が複数存在すると判断すると、点灯中の光源のうちで最も温度が高い光源を消灯するように、３つ以上の光源ユニットを制御する。
【００７６】
これによって、第１光源１１および第２光源１２の両方の温度Ｔ１，Ｔ２が消灯基準温度Ｔａよりも高い温度になった場合に、温度が高い方の光源を消灯する本実施の形態の構成と同様の効果を得ることができる。具体的には、異常に過熱される可能性が最も高い光源から消灯することができるので、光源の温度上昇による劣化をより確実に防ぐことができる。したがって、光源の寿命の低下をより確実に抑えることができる。
【００７７】
＜第２の実施の形態＞
本発明の第２の実施の形態のプロジェクタ装置は、図１に示す前述の第１の実施の形態のプロジェクタ装置１と構成および機能が同様であるので、同一の構成には同一の参照符を付して、図示および共通する説明を省略する。
【００７８】
図３は、本発明の第２の実施の形態における光源制御処理に関するマイコン１９の処理手順を示すフローチャートである。図３に示すフローチャートの各処理は、前述の図１に示すプロジェクタ装置１のマイコン１９によって実行される。本発明の実施の一形態であるプロジェクタ装置の光源制御方法は、プロジェクタ装置１によって実行される。図３を参照して、プロジェクタ装置の光源制御方法についても説明する。
【００７９】
使用者によってプロジェクタ装置１の電源がオン（ＯＮ）される、すなわち電源が投入されると、マイコン１９は、図３に示すフローチャートの処理を開始し、ステップＳ２１に移行する。
【００８０】
図３に示す処理手順は、光源制御処理が開始される時点で、２つの光源のうち、１つの光源のみが点灯している場合の光源制御処理に関するマイコン１９の処理手順である。本実施の形態では、光源制御処理が開始される時点では、２つの光源、すなわち第１光源１１および第２光源１２のうち、いずれか１つの光源のみが点灯している。
【００８１】
ステップＳ２１において、マイコン１９は、各光源温度センサ１５，１６によって、対応する光源１１，１２の温度を検出したとき（以下「温度検出時」という場合がある）に点灯中の光源Ｌの温度ＴＬが、消灯基準温度Ｔａよりも高いか否かを判断する。ステップＳ２１において、マイコン１９は、点灯中の光源Ｌの温度ＴＬが消灯基準温度Ｔａよりも高い（ＴＬ＞Ｔａ）と判断した場合は、ステップＳ２２に移行し、点灯中の光源Ｌの温度ＴＬが消灯基準温度Ｔａよりも高くない、すなわち消灯基準温度Ｔａ以下（ＴＬ≦Ｔａ）であると判断した場合は、全ての処理手順を終了する。
【００８２】
ステップＳ２２において、マイコン１９は、温度検出時に消灯中の光源Ｕが、点灯可能であるか否かを判断する。ステップＳ２２において、マイコン１９は、消灯中の光源Ｕが点灯可能であると判断した場合は、ステップＳ２３に移行し、消灯中の光源Ｕが点灯可能ではない、すなわち点灯不可能であると判断した場合は、ステップＳ３０に移行する。
【００８３】
ステップＳ２３において、マイコン１９は、消灯中の光源Ｕの温度ＴＵが、消灯基準温度Ｔａよりも高いか否かを判断する。ステップＳ２３において、マイコン１９は、消灯中の光源Ｕの温度ＴＵが消灯基準温度Ｔａよりも高い（ＴＵ＞Ｔａ）と判断した場合は、ステップＳ３０に移行し、消灯中の光源Ｕの温度ＴＵが消灯基準温度Ｔａよりも高くない、すなわち消灯基準温度Ｔａ以下（ＴＵ≦Ｔａ）であると判断した場合は、ステップＳ２４に移行する。
【００８４】
ステップＳ２４において、マイコン１９は、温度検出時に消灯していた光源Ｕの点灯を開始させる。光源Ｕの点灯が開始されると、ステップＳ２５に移行する。
【００８５】
ステップＳ２５において、マイコン１９は、温度検出時に消灯していた光源Ｕの点灯が完了したか否かを判断する。ステップＳ２５において、光源Ｕの点灯が完了したと判断した場合は、ステップＳ２６に移行し、光源Ｕの点灯が完了していないと判断した場合は、点灯が完了するまで待機する。
【００８６】
光源Ｕの点灯が完了したか否かは、たとえば、光源Ｕが十分明るくなったか否かに基づいて判断する。マイコン１９は、光源Ｕが十分に明るくなったと判断すると、光源Ｕの点灯が完了したと判断し、光源Ｕが十分に明るくなっていないと判断すると、光源Ｕの点灯が完了していないと判断する。
【００８７】
光源Ｕが十分に明るくなったか否かは、たとえば、光源Ｕの輝度値を測定し、測定された光源Ｕの輝度値が、予め定める閾値よりも大きいか否かに基づいて判断する。マイコン１９は、光源Ｕの輝度値が、予め定める閾値よりも大きいと判断すると、光源Ｕが十分に明るくなったと判断し、光源Ｕの輝度値が、予め定める閾値以下であると判断すると、光源Ｕが十分に明るくなっていないと判断する。
【００８８】
ステップＳ２６において、マイコン１９は、光源温度検出時に点灯中の光源Ｌを消灯させる。また、光源Ｌを消灯させてから予め定める時間、たとえば１時間が経過するまで、光源Ｌの再点灯を禁止するようにしてもよい。ステップＳ２６において光源Ｌを消灯させたとき、消灯した光源Ｌに対応するインジケータを、消灯した光源Ｌの温度ＴＬが消灯基準温度Ｔａ以上に上昇したために光源Ｌを消灯したことを示すように点灯または点滅させる。たとえば、前述の２色ＬＥＤの橙色ＬＥＤを点灯させる。ステップＳ２６において光源Ｌが消灯すると、ステップＳ２７に移行する。
【００８９】
ステップＳ２７において、マイコン１９は、点灯した光源Ｕの温度ＴＵを検出する。温度ＴＵを検出すると、ステップＳ２８に移行する。
【００９０】
ステップＳ２８において、マイコン１９は、ステップＳ２７で検出した点灯中の光源Ｕの温度ＴＵが、劣化基準温度Ｔｂよりも高いか否かを判断する。ステップＳ２８において、マイコン１９は、点灯中の光源Ｕの温度ＴＵが劣化基準温度Ｔｂよりも高い（ＴＵ＞Ｔｂ）と判断した場合は、ステップＳ３１に移行し、点灯中の光源Ｕの温度ＴＵが劣化基準温度Ｔｂよりも高くない、すなわち劣化基準温度Ｔｂ以下（ＴＵ≦Ｔｂ）であると判断した場合は、ステップＳ２９に移行する。
【００９１】
ステップＳ２９において、マイコン１９は、ステップＳ２６で光源Ｌが消灯された時点からの経過時間（以下「消灯光源冷却時間」という場合がある）ｔＬが、要冷却時間Ｔｃｏｏｌを経過したか否かを判断する。ステップＳ２９において、マイコン１９は、消灯光源冷却時間ｔＬが要冷却時間Ｔｃｏｏｌを経過した（ｔＬ＞Ｔｃｏｏｌ）と判断した場合は、全ての処理手順を終了し、消灯光源冷却時間ｔＬが要冷却時間Ｔｃｏｏｌを経過していない（ｔＬ≦Ｔｃｏｏｌ）と判断した場合は、ステップＳ２７に戻り、消灯光源冷却時間ｔＬが要冷却時間Ｔｃｏｏｌを経過するまで、ステップＳ２７およびステップＳ２８の処理を繰り返す。ステップＳ２６においてインジケータを点灯または点滅させていた場合、マイコン１９は、ステップＳ２９において、消灯光源冷却時間ｔＬが要冷却時間Ｔｃｏｏｌを経過したときに、消灯した光源に対応するインジケータを消灯する。
【００９２】
ステップＳ３０において、マイコン１９は、点灯中の光源Ｌの温度ＴＬが、劣化基準温度Ｔｂよりも高いか否かを判断する。ステップＳ３０において、マイコン１９は、点灯中の光源Ｌの温度ＴＬが劣化基準温度Ｔｂよりも高い（ＴＬ＞Ｔｂ）と判断した場合は、ステップＳ３１に移行し、点灯中の光源Ｌの温度ＴＬが劣化基準温度Ｔｂよりも高くない、すなわち劣化基準温度以下（ＴＬ≦Ｔｂ）であると判断した場合は、全ての処理手順を終了する。
【００９３】
ステップＳ３１において、マイコン１９は、プロジェクタ装置１の電源をオフ（ＯＦＦ）にする、すなわち電源を切る。マイコン１９は、ステップＳ３１の処理を終了した後は、全ての処理手順を終了する。
【００９４】
以上のように本実施の形態では、マイコン１９は、２つの光源１１，１２のうち、点灯中の１つの光源である一方の光源Ｌの温度ＴＬが消灯基準温度Ｔａよりも高い温度に達すると、もう１つの光源である他方の光源Ｕの点灯を開始する。そして、マイコン１９は、点灯を開始した他方の光源Ｕの点灯が完了する、具体的には、他方の光源Ｕが十分に明るくなると、前述の消灯基準温度よりも温度が上昇した光源Ｌ、すなわち先に点灯していた一方の光源Ｌを消灯する。
【００９５】
このようにすることによって、点灯中の光源の温度が消灯基準温度Ｔａを超える温度になった場合でも、他の光源から、光の投写を継続することができ、ひいては映像の投写を継続することができる。また消灯基準温度Ｔａを超える温度の光源を消灯することによって、光源が異常に過熱されることを防ぐことができるので、光源の温度上昇による劣化を防ぎ、寿命の低下を抑えることができる。したがって、光源の温度上昇による寿命の低下を抑えるとともに、長時間の連続投写が可能なプロジェクタ装置を実現することができる。
【００９６】
また本実施の形態では、マイコン１９は、他方の光源Ｕが点灯不可であれば、点灯中の一方の光源Ｌの点灯をそのまま継続する。そして、マイコン１９は、点灯中の一方の光源Ｌの温度ＴＬが劣化基準温度Ｔｂよりも高い温度になった場合には、光源Ｌが異常に過熱されることを防ぐために、その光源Ｌを消灯する。これによって、光源の温度上昇による寿命の低下を抑えるとともに、連続投写時間を可及的に長くすることができる。
【００９７】
また本実施の形態では、２つの光源１１，１２のうち、消灯中の他方の光源Ｕは、その光源Ｕの温度ＴＵが消灯基準温度Ｔａ以下である場合には、点灯が開始される。換言すれば、他方の光源Ｕの温度ＴＵが消灯基準温度Ｔａよりも高い場合には、他方の光源Ｕの点灯は開始されない。これによって、温度が消灯基準温度Ｔａよりも高く、異常に過熱されるおそれのある光源が点灯されることを防ぎ、その光源の温度上昇による劣化を防ぐことができる。したがって、光源の寿命の低下をより確実に抑えることができる。
【００９８】
また本実施の形態では、消灯基準温度Ｔａを超える温度の光源Ｌは、消灯されるとともに、対応する冷却ファン１７，１８で冷却される。これによって、光源が異常に過熱されることをより確実に防ぐことができるので、光源の温度上昇による劣化をより確実に防ぐことができる。したがって、光源の寿命の低下をより確実に抑えることができる。
【００９９】
また本実施の形態においても、前述の第１の実施の形態と同様に、光源の温度が消灯基準温度Ｔａを超えると判断されると、その光源に対応するインジケータが、その光源が消灯基準温度Ｔａを超えることを示す点灯状態で動作される。具体的には、その光源に対応するインジケータの２色ＬＥＤの橙色ＬＥＤが点灯または点滅される。これによって、光源の温度が消灯基準温度Ｔａを超えることを使用者に報知することができる。したがって、たとえば使用者に対して、プロジェクタ装置の電源をオフにするように促すことができる。
【０１００】
以上に述べた本実施の形態では、プロジェクタ装置は、２つの光源ユニットを備えるが、これに限定されず、３つ以上の光源ユニットを備えてもよい。この場合、たとえば３つ以上の光源ユニットの光源のうち、１つの光源が点灯し、点灯された１つの光源を除く残余の光源が消灯している状態で、前述の図３に示す光源制御処理が開始される。
【０１０１】
このとき、マイコン１９は、各光源ユニットの光源温度センサによって検出される点灯中の光源の温度が消灯基準温度Ｔａを超えるか否かを判断する。マイコン１９は、点灯中の光源の温度が消灯基準温度Ｔａを超えると判断すると、前述の消灯中の残余の光源のうちのもう１つの光源の点灯を開始するように、複数の光源ユニットを制御する。マイコン１９は、もう１つの光源の点灯が完了したと判断すると、先に点灯していた１つの光源を消灯するように、複数の光源ユニットを制御する。
【０１０２】
このようにすることによって、３つ以上の光源ユニットを備える場合でも、２つの光源ユニットを備える本実施の形態と同様の効果を得ることができる。
【０１０３】
また、このように３つ以上の光源ユニットを備える場合、マイコン１９は、前述のもう１つの光源として、前述の消灯中の残余の光源のうち、温度が消灯基準温度Ｔａ以下である光源の点灯を開始するように、３つ以上の光源ユニットを制御する。
【０１０４】
これによって、消灯中の他方の光源Ｕの温度ＴＵが消灯基準温度Ｔａ以下である場合には、他方の光源Ｕの点灯を開始し、他方の光源Ｕの温度ＴＵが消灯基準温度Ｔａよりも高い場合には、他方の光源Ｕの点灯を開始しないようにする本実施の形態の構成と同様の効果を得ることができる。具体的には、温度が消灯基準温度Ｔａよりも高く、異常に過熱されるおそれのある光源が点灯されることを防ぎ、その光源の温度上昇による劣化を防ぐことができる。したがって、光源の寿命の低下をより確実に抑えることができる。
【符号の説明】
【０１０５】
１  プロジェクタ装置、１１  第１光源、１２  第２光源、１３  第１光源電源、１４  第２光源電源、１５  第１光源温度センサ、１６  第２光源温度センサ、１７  第１冷却ファン、１８  第２冷却ファン、１９  マイクロコンピュータ（マイコン）、２０  光合成光学系。
【図１】
2012155181.tif 000003
【図２】
2012155181.tif 000004
【図３】
2012155181.tif 000005